(57)【要約】【課題】角部が切削されて面取部３が形成された出隅柱１であって、面取部が表面柄部４に近い質感を持っており、かつ切削時に生じた面取部３の端部近傍のバリが完全に隠蔽された出隅柱を提供する。【解決手段】弾性材料からなるロール２３に塗料を付着させて面取部３に押圧し、ロール２３を面取部３およびその近傍の表面柄部に接触させながら塗装を行うことにより、下層塗膜層６５の上に上層塗膜層を形成する。【選択図】  図２
2004316298.tif 000002
【特許請求の範囲】
【請求項１】
角部が切削されて面取部が形成された出隅柱であって、面取部およびその近傍の表面柄部に渡って塗膜層が形成されており、該塗膜層は少なくとも面取部の左右方向の端部近傍において盛り上がり部を有しており、それにより、前記角部を切削する際に生じた前記面取部の左右方向の端部近傍のバリなどの凹凸が該塗膜により覆われていることを特徴とする出隅柱。
【請求項２】
前記塗膜層がビーズを含むことを特徴とする請求項１記載の出隅柱。
【請求項３】
角部が切削されて面取部が形成された出隅柱であって、該面取部に形成された少なくとも一層の下層塗膜層の上に、少なくとも一層の上層塗膜層が前記面取部およびその近傍の表面柄部に渡って形成されていることを特徴とする出隅柱。
【請求項４】
前記上層塗膜層は出隅柱の表面柄部に含まれる色と同じ色彩の層を少なくとも一層有することを特徴とする請求項３記載の出隅柱。
【請求項５】
前記上層塗膜層は模様を有する層を少なくとも一層含むことを特徴とする請求項３または４記載の出隅柱。
【請求項６】
前記模様を有する層は、出隅柱の表面柄部が有する模様と同じ模様を有することを特徴とする請求項５記載の出隅柱。
【請求項７】
少なくとも前記面取部の左右方向の端部近傍において、前記各塗膜層は盛り上がり部を有し、それにより、前記角部を切削する際に生じた前記面取部の左右方向の端部近傍のバリなどの凹凸が該塗膜により覆われていることを特徴とする請求項３から６のいずれか記載の出隅柱。
【請求項８】
前記下層塗膜層および上層塗膜層に含まれる層のうち少なくとも１層がビーズを含むことを特徴とする請求項３から７のいずれか記載の出隅柱。
【請求項９】
出隅柱の面取部の塗装方法であって、弾性材料からなるロールに塗料を付着させて、角部が面取りされた出隅柱の面取部およびその近傍の表面柄部にまで該ロールを押圧し、該ロールを前記面取部およびその近傍の表面柄部にまで接触させながら塗装を行うことを特徴とする出隅柱の面取部の塗装方法。
【請求項１０】
出隅柱の面取部の塗装方法であって、角部が面取りされた出隅柱の面取部に少なくとも一層の下層塗膜層を形成し、その上にさらに少なくとも一層の上層塗膜層を、弾性材料からなるロールに塗料を付着させて前記面取部およびその近傍の表面柄部にまで該ロールを押圧し、該ロールを前記面取部およびその近傍の表面柄部にまで接触させながら塗装を行うことにより形成することを特徴とする出隅柱の面取部の塗装方法。
【発明の詳細な説明】
【０００１】
【発明の属する技術分野】
本発明は、建物壁面の出隅部分の外装材として用いられる出隅柱、およびその面取部の塗装方法に関する。
【０００２】
【従来の技術】
一般に、建物の壁面の出隅部分に用いられる外装材として、図７に示すようなものが知られている。これは表面柄部４を有する複数の出隅柱１が目地部６を挟んで縦方向に連結されることにより出隅壁面を構成したものである。このような出隅柱１は、通常、図８に示すような製造工程を経て製造される。すなわち、まず、予め塗装された凹部４ａを含む表面柄部４を有する建築板７０を切断して（図８（ａ））、２枚の板片７０Ａ，７０Ｂを形成し（図８（ｂ））、これら板片７０Ａ，７０Ｂの端部を斜めに切断して（図８（ｃ））、この切断面２，２同士を接合し（図８（ｄ））、断面略Ｌ字形とする。次にこの接合部の角部を切削して面取りし、面取部３を形成する（図８（ｅ））。このようにして形成された出隅柱１ｄにおいて、左右の表面柄部４，４に挟まれる面取部３は塗装されていない露出部分となるため、この面取部３を何らかの手段により被覆して出隅柱１の完成となる。
【０００３】
面取部３の被覆は通常塗装で行われ、その塗膜層は１層であることが普通である（例えば、特許文献１参照）。図９は面取部のための塗装装置の一例を示している。この塗装装置５０は塗料６１が貯留された塗料バス５１の上方に塗装ロール５２が回転自在に取り付けられたものである。塗装ロール５２の下部は塗料バス５１内に浸されており、塗装ロール５２の上部が出隅柱１の面取部３に接触するようになっている。
【０００４】
面取部を被覆する他の方法の１つとして、転写シートを面取部に貼着することが知られている（例えば、特許文献２参照）。しかしながら、転写シートを面取部の寸法に合わせて正確に切断し、さらにずれが生じないように正確に面取部に位置合わせするのは手間がかかり、現実的な解決策ではない。
【０００５】
【特許文献１】
特許第３３２３１２６号
【特許文献２】
特開２０００−３１００２４号
【０００６】
【発明が解決しようとする課題】
出隅柱の構成部材として、比較的厚さの薄い建築板、例えば厚さ１２ｍｍの建築板を用い、図８に示した方法で出隅柱を製造した場合、表面柄部４の凹部４ａの深さは約２〜３ｍｍとなり、面取部３の幅ｈは約４〜６ｍｍとなる。このように、比較的厚さの薄い建築板を用いた場合は、表面柄部４の凹部４ａは浅く、かつ面取部３の幅ｈも狭い。そのため、従来のように面取部３の塗膜層を１層のみとした場合であっても、表面柄部４と面取部３の質感の差はあまり目立たずにすむ。
【０００７】
しかし、厚さ１６ｍｍ以上の建築板、特に厚さが２１〜２５ｍｍに達するような建築板を用いて出隅柱を製造した場合、表面柄部４の凹部４ａの深さは８ｍｍ程度の深いものとなる。また、角部を面取りする際には、図８（ｄ）に示したように表面柄部４の凹部４ａよりもさらに深い位置で切削する必要性から、面取部３の幅ｈは１５〜２０ｍｍにも及ぶ広いものとなる。すなわち、表面柄部４に深い凹部４ａが形成されているために面取部３との質感の差が大きいにも関わらず、面取部３の幅ｈが広いためにこの質感の差が大きく目立ってしまうことになる。
【０００８】
また、図１０に示すように、出隅柱１の角部を切削して面取部３を形成する際、面取部３の端部近傍にはバリと呼ばれる５０〜１００μｍの凹凸８０が生じる。従来のように面取部３の塗膜層が１層だけであるとこの凹凸８０が塗膜層の表面にも現れてしまう場合があった。また、バリは面取部３だけでなく面取部３に隣接する表面柄部４の端部にまで生じるため、従来のように面取部３だけを被覆するのでは、バリを完全に覆い隠すことはできなかった。
【０００９】
さらに、近年の壁面材および出隅柱においてその表面模様は意匠性の高いものになってきており、従来のように面取部を一色で塗装しただけでは、意匠の連続性が得られず、高級感が得られない。そのために、出隅柱１の面取部３を塗装するにあたっては、多色塗りを行い、出隅柱１の面取部に表面柄部４に近い質感を出すことが望まれる。そこで、図９に示した塗装装置５０を用いて多色塗りを行う場合を想定し、その出隅柱の面取部の断面図を図１１に示す。図１１に示されるように、出隅柱１ｃの面取部３に形成される下層塗膜層６２は、塗料の粘度と表面張力により、その端部６２ａが面取部３から少しはみ出した状態で留まっている。この上にさらに塗膜層６３を形成すると、下層塗膜層６２の端部６２ａが上層塗膜層６３の端部からはみ出てしまう。このような出隅柱は見映えが悪く、はみ出た部分６２ａに手作業で上塗りするのは手間がかかる。
【００１０】
本発明は上記問題を解決するものであり、面取部の端部近傍に生じたバリなどの凹凸が完全に覆い隠された出隅柱を提供することを目的とする。また、本発明の他の目的は、面取部が多層にかつ多色に塗装されることにより、面取部に表面柄部に近い質感を持たせるようにした改良された出隅柱を提供することである。さらに本発明は、上記のような出隅柱を簡単な工程で製造することができる面取部の塗装方法を提供することをも目的としている。
【００１１】
【課題を解決するための手段】
上記目的を達成するための本発明による出隅柱は、角部が切削されて面取部が形成された出隅柱であって、面取部およびその近傍の表面柄部に渡って塗膜層が形成されており、該塗膜層は少なくとも面取部の左右方向の端部近傍において盛り上がり部を有しており、それにより、前記角部を切削する際に生じた前記面取部の左右方向の端部近傍のバリなどの凹凸が該塗膜により覆われていることを特徴とする。これにより、出隅柱の角部を切削する際に生じたバリなどの凹凸は隠蔽され、面取部の塗膜層の表面をきれいな平坦面としたり、あるいは所望の模様を施すことができる。
【００１２】
好ましい態様において、前記塗膜層がビーズを含む。それにより、ビーズに塗料の樹脂の一部が吸着されて粘性が上がり、チクソトロピー性となって面取部に留まり易くなり、垂れにくくなる。従って、面取部の左右方向の端部近傍において塗膜層の盛り上がり部を形成し易くなる。
【００１３】
本発明は塗膜層が多層に形成された出隅柱をも開示するものである。それは、角部が切削されて面取部が形成された出隅柱であって、該面取部に形成された少なくとも一層の下層塗膜層の上に、少なくとも一層の上層塗膜層が前記面取部およびその近傍の表面柄部に渡って形成されていることを特徴とする。本発明による出隅柱はその面取部が多層に塗装されていて、表面柄部に近い質感を持っており、意匠性に優れている。
【００１４】
好ましい態様において、各塗膜層は異なる色とされる。それにより、面取部は多色に塗装され、意匠性の高い面取部が得られる。好ましくは、上層塗膜層は模様を有する層を少なくとも一層含むようにする。それにより、さらに変化に富んだ塗装面を作り出すことができる。
【００１５】
好ましい態様において、上層塗膜層は出隅柱の表面柄部に含まれる色と同じ色彩の層を少なくとも一層有するようにする。さらに好ましくは、模様を有する層は、出隅柱の表面柄部が有する模様と同じ模様を有するようにする。これにより、出隅柱の表面柄部が意匠性の高い柄部である出隅柱であっても、表面柄部と面取部との連続感を確実に作り出すことが可能となる。
【００１６】
好ましい態様において、上層塗膜層は、最上層にクリヤー層を有するようにする。一般に、面取部の端部は出っ張った部分であるため塗膜がはがれやすく、はがれた部分から雨水が浸透する恐れがあるが、上記の態様においては、クリヤー層が下層塗膜層を端部まで確実に覆って保護するため耐候性に優れたものとなる。
【００１７】
好ましい態様において、少なくとも前記面取部の左右方向の端部近傍において塗膜層が盛り上がり部を有し、それにより、前記角部を切削する際に生じた前記面取部の左右方向の端部近傍のバリなどの凹凸が該塗膜により覆われている。これにより、塗膜層が１層である場合と同様に、出隅柱の角部を切削する際に生じたバリなどの凹凸は隠蔽され、面取部の塗膜層の表面をきれいな平坦面としたり、あるいは所望の模様を施すことができる。
【００１８】
好ましい態様において、前記下層塗膜層および上層塗膜層に含まれる層のうち少なくとも１層がビーズを含む。それにより、先述したように塗料が面取部に留まり易くなり、また、面取部の左右方向の端部近傍において塗膜層の盛り上がり部を形成し易くなる。
【００１９】
本発明は、さらに、以上のような出隅柱の塗装方法をも開示する。本発明による出隅柱の塗装方法は、弾性材料からなるロールに塗料を付着させて、角部が面取りされた出隅柱の面取部およびその近傍の表面柄部にまで該ロールを押圧し、該ロールを前記面取部およびその近傍の表面柄部にまで接触させながら塗装を行うことを特徴とする。本発明の塗装方法によれば、簡単な工程により、出隅柱の角部を切削する際に生じた面取部の端部近傍のバリなどの凹凸を確実に覆うことができる。
【００２０】
本発明は、さらに、上記塗装方法を多層塗りに適用したものとして、角部が面取りされた出隅柱の面取部に少なくとも一層の下層塗膜層を形成し、その上にさらに少なくとも一層の上層塗膜層を、弾性材料からなるロールに塗料を付着させて前記面取部およびその近傍の表面柄部にまで該ロールを押圧し、該ロールを前記面取部およびその近傍の表面柄部にまで接触させながら塗装を行うことにより形成する。それにより、上層塗膜層を形成する際に、下層塗膜層の端部を確実に覆うことができ、簡単な工程により多色塗りを施すことができる。また、面取部に形成した下層塗膜層を保護するクリヤー層を最上層に形成する際にも、下層塗膜層の端部まで確実に覆うことができるので、耐候性に優れた出隅柱とすることができる。
【００２１】
【発明の実施の形態】
以下、本発明の実施の形態を図面に基づいて説明する。なお、塗装の対象となる出隅柱は図８（ｅ）に示した出隅柱１ｄと同じであり、以下の説明において出隅柱の各部分を示す符号は図８（ｅ）と同じものを用いている。
【００２２】
図１は、本発明による塗装方法を実施するために用いられる塗装装置の一例である。ここに示される塗装装置２０は、グラビア印刷法によって塗装を行うものであり、互いに連動する塗料ロール２１、金属製ロール２２および最終ロール２３を備えている。塗料ロール２１の下部は塗料バス２４に浸されており、連動する金属製ロール２２に塗料６４を供給する。塗料６４はインク、樹脂分および希釈剤からなっており、外装材に用いられる通常の塗料と同様のものが用いられる。金属製ロール２２の表面には微細な凹点２５が多数刻印されており、これら凹点２５は全体として模様をなすように配置されている。金属製ロール２２に付着した塗料はブレード２６によって余分なものが掻き落とされ、凹点２５のみに塗料が残る。なお、図１ではわかりやすくするため凹点２５を大きく描いているが、実際は数十μｍ程度の大きさである。
【００２３】
金属製ロール２２は最終ロール２３に連動しており、凹点２５に残った塗料が最終ロール２３に転写され、最終ロール２３が塗装対象面に接触して塗装を施す。最終ロール２３は例えば、天然ゴム、ニトリルゴム、スチレンブタジェンゴム、クロロプレンゴム、ブチルゴム、エチレンプロピレンゴム、シリコンゴム、フッ素ゴム等のような弾性を有する材料からなり、その硬度は５〜６０°、より好ましくは１０〜４０°、さらに好ましくは１５〜２０°とされる。図２に示すように、最終ロール２３が出隅柱１の面取部３に押圧されると、最終ロール２３は面取部３とその近傍の表面柄部をも囲むようにして変形し、面取部３だけでなくその近傍の表面柄部にまで接触する。それにより、下層塗膜層６５の端部を覆うようにして塗装が施される。
【００２４】
図３は、本発明による塗装方法を実施するために用いられる塗装装置の他の例である。ここに示す塗装装置３０は、フレキソ印刷法によって塗装を行うものであり、互いに連動する塗料ロール３１および凸ロール３２を備えている。塗料ロール３１の下部は塗料バス３３に浸されており、連動する凸ロール３２に塗料６６を供給する。このとき、塗料ロール３１に付着した余分な塗料はブレード３４によって掻き落とされ、適当な量の塗料のみが凸ロール３２に供給される。塗料６６はインク、樹脂分および希釈剤からなっており、外装材に用いられる通常の塗料と同様のものが用いられる。
【００２５】
凸ロール３２は上記最終ロール２３と同様の弾性を有する材料からなり、その硬度は５〜６０°、より好ましくは１０〜４０°とされる。凸ロール３２の表面には微細な凸点３５が多数刻印されており、これら凸点３５は全体として模様をなすように配置されている。図２に示した塗装装置２０の場合と同様に、凸ロール３２が出隅柱１の面取部３に押圧されると、凸ロール３２は面取部３とその近傍の表面柄部をもを囲むようにして変形し、面取部３だけでなくその近傍の表面柄部にまで接触する。それにより、下層塗膜層の端部を覆うようにして塗装が施される。なお、この場合も、図３ではわかりやすくするため凸点３５を大きく描いているが、実際は数十μｍ程度の大きさである。
【００２６】
図４は、本発明による塗装方法を実施するために用いられる塗装装置のさらに他の例である。図１および図３に示した塗装装置２０，３０は塗装対象面に部分的に塗料を付着させて模様を付けるものであったが、図４に示す塗装装置４０は、塗装対象面の全面にまんべんなく塗料を付着させるものである。この塗装装置４０は前記と同様な弾性材料からなる塗料ロール４１を備え、その下部は塗料バス４２に浸されている。塗料ロール４１に付着した余分な塗料はブレード４３によって掻き落とされ、適当な量の塗料のみが塗料ロール４１上に残り、塗布されることになる。塗装時には塗料ロール４１の上部が塗装対象面に押圧されるが、このときの態様は上記したものと同様である。
【００２７】
以上、３つの塗装装置２０，３０，４０の例を説明したが、本発明の塗装方法を実施するにあたって重要なことは、面取部に押圧されるロールが、面取部の近傍とその近傍の表面柄部にまで接触するのに十分な弾性を有することであり、その他の構成は必要に応じて適宜変更することが可能である。
【００２８】
図５（ａ）は、以上説明したような塗装装置により面取部が塗装された出隅柱の完成品の一例である。ここに示される出隅柱１ａの面取部３には、下層塗膜層としてのシーラー層１１と、上層塗膜層としての第１のインク層１２、第２のインク層１３、クリヤー層１４が順に形成されている。図６はこの出隅柱１ａの塗装工程の一部を示している。以下、塗膜層１１〜１４を形成する工程を順に説明する。
【００２９】
塗装前の面取部３の表面には出隅柱の材料が有する微細孔が露出しているので、塗膜が良好に形成されるようにするため、まず、下塗りとして面取部に従来と同様のシーラー層１１が形成される。シーラーは湿気硬化型変性アクリル樹脂が主成分の浸透防止剤液であり、粘度は２０〜３０秒／ＮＫ・２とされている。これを図９に示したような自動塗装装置または刷毛塗りにより常温で塗布した後、養生し硬化させる。この時、シーラーの粘度と表面張力により、シーラー層１１の端部は面取部３から多少はみ出た状態で留まる。
【００３０】
次に、シーラー層１１の上に、図６（ａ）に示すようにして、第１のインク層１２が形成される。この例において、第１のインク層１２は、出隅柱１の表面柄部４に含まれる色の１つと同じ色とされる。この塗装装置２０ａは、図１に示した塗装装置２０と同じものであり、第１のインク層１２はシーラー層１１の端部を覆うようにして形成される。この例において、塗装装置２０ａに備えられた金属製ロール２２ａの表面の凹点２５ａは、全体として出隅柱１の表面柄部４と同様の模様をなすように配置されている。凹点２５ａは金属製ロール２２ａの表面積の７０〜９０％を占める部分に形成されており、その深さは１０〜８０μｍ、平均４０μｍである。凹点２５ａの模様が最終ロール２３ａに転写されて面取部３に塗装が施されることにより、面取部３に模様が付けられる。こうして第１のインク層１２が形成され、これを乾燥させて硬化させる。
【００３１】
次に、第１のインク層１２の上に、図６（ｂ）に示すようにして、第２のインク層１３が形成される。この例において、第２のインク層１３は、出隅柱１の表面柄部４に含まれる色の１つと同じ色であって、かつ第１のインク層１２とは異なる色とされる。この塗装装置２０ｂは、上記塗装装置２０ａと同じものであってよく、第２のインク層１３は第１のインク層１２の端部を覆うようにして形成される。塗装装置２０ｂの金属製ロール２２ｂの表面に配置する凹点２５ｂも、全体として出隅柱１の表面柄部４と同様の模様をなすように配置されている。ただし、これら凹点２５ｂは、図６（ａ）に示した塗装装置２０ａに比べると数は少なくされており、金属製ロール２２ｂの表面積の３０〜６０％を占める部分に形成されている。凹点２５ｂの模様が最終ロール２３ｂに転写されて面取部３に塗装が施されることにより、面取部３により意匠性の高い模様が付けられる。
【００３２】
このようにして塗装が施された面取部３は、上層のインク層１３の模様の隙間から下層のインク層１２が見えており、かつ、上層と下層のインク層１２，１３が重なり合う部分はインクが重なりあって濃い色となっている。それにより、表面柄部４と同様の柄が、面取部３およびその近傍の表面柄部にも形成され、表面柄部４と面取部３との連続感が生まれて意匠性の高い出隅柱となる。
【００３３】
最後に、これら第１および第２のインク層１２，１３を覆うようにしてクリヤー層１４が形成される。クリヤー層１４は下層塗膜層１１，１２，１３を保護するためのものであり、下層塗膜層１１，１２，１３をくまなく覆う必要がある。そのため、この工程では好ましくは図４に示した塗装装置４０と同様の塗装装置４０ａを使用する。クリヤー塗料としては、例えば、粘度２０〜３０秒／ＮＫ・２のものを１００〜１５０ｇ／ｍ２塗布する。ここで使用されるクリヤー塗料はビーズを含んでおり、このビーズは４０〜２００μｍ、平均８５μｍとされ、出隅柱１ａの表面柄部４と同様に５〜１０％添加される。クリヤー層１４を乾燥させれば面取部３の塗装は完了となる。
【００３４】
このようにして塗装が施された出隅柱１ａの面取部３は、下層のインク層１１の端部を覆うように、かつ、表面柄部の一部を覆うようにして、上層のインク層１２、１３が形成されているため見映えがよく、これらインク層１２，１３の組み合わせにより、面取部３には出隅柱１ａの表面柄部４と同様の柄が形成される。そして、これらインク層１２，１３は、角部を切削する際に生じた面取部の端部近傍のバリなどの凹凸８０（図１０参照）が塗膜層の表面にまで現れないような十分な厚みを有しており、さらに、前記のように、インク層１２，１３は面取部３に隣接する表面柄部４の端部までを覆っており、バリは完全に覆い隠される。さらに、最上層のクリヤー層１４が下層のインク層１２，１３を端部まで確実に覆っているため耐候性にも優れる。
【００３５】
なお、面取部３の端部近傍のバリなどの凹凸が塗膜層の表面に現れないためには、少なくとも面取部３の端部近傍において塗膜層が十分な厚みを有していればよく、図５（ｂ）に示す出隅柱１ｂのように、面取部３の左右方向の端部近傍が盛り上がった部分１４ａとなるように塗膜層を形成するようにしてもよい。なお、この盛り上がり部１４ａを持つ塗膜層の構成は、図示の例のように塗膜層が多層構造である場合に限らず、図示しないが、単一層の塗膜層であっても構成することができる。そして、同様な凹凸覆い効果が奏される。
【００３６】
【発明の効果】
以上に詳述したように、本発明による出隅柱の好適な態様では、その面取部が多層にかつ多色に塗装されていて、表面柄部に近い質感を持っており、また、出隅柱の角部を切削する際に生じたバリが塗膜によって隠されているため、意匠性に優れている。また、本発明の塗装方法によれば、面取部およびその近傍を同時に塗装することができ、簡単な工程で意匠性および耐候性に優れた出隅柱を製造することができる。
【図面の簡単な説明】
【図１】本発明の塗装方法に用いられる装置の一例を示す図。
【図２】図１に示す塗装装置によって出隅柱を塗装している状態を示す断面図。
【図３】本発明の塗装方法に用いられる装置の他の例を示す図。
【図４】本発明の塗装方法に用いられる装置のさらに他の例を示す図。
【図５】本発明の塗装方法によって塗装された出隅柱を示す断面図。
【図６】図５に示す出隅柱の塗装工程を示す図。
【図７】従来技術による出隅柱の施工状態を示す斜視図。
【図８】従来技術による出隅柱の製造工程を示す図。
【図９】従来技術による出隅柱の面取部の塗装装置を示す図。
【図１０】図８に示す出隅柱の面取部近傍を示す斜視図。
【図１１】図９に示す塗装装置により塗装された出隅柱の面取部の断面図。
【符号の説明】
１…出隅柱，３…面取部，２３…ロール，２５…凹点，６５…下層塗膜層
【図１】
2004316298.tif 000003
【図２】
2004316298.tif 000004
【図３】
2004316298.tif 000005
【図４】
2004316298.tif 000006
【図５】
2004316298.tif 000007
【図６】
2004316298.tif 000008
【図７】
2004316298.tif 000009
【図８】
2004316298.tif 000010
【図９】
2004316298.tif 000011
【図１０】
2004316298.tif 000012
【図１１】
2004316298.tif 000013